(57)【特許請求の範囲】
【請求項１】
コンパクトな低圧放電灯であって、電極と電流供給部（３０）とを備えた放電管（１４）と、キャップ（１６）とケーシング（１８）と安定器を備えた組立プレート（２４）とから組み立てられたソケット（１２）とから成っており、組立プレート（２４）が安定器と共にソケットケーシング（１８）内に取り付けられていて、電流供給部（３０）と組立プレート（２４）とを電気的に接続するための接続部（２６）を有しており、前記電流供給部（３０）がばね部材（２８）によって組立プレート（２４）の電気的な接続部（２６）に押しつけられるようになっている形式のものにおいて、
キャップ（１６）が、キャップ（１６）の内周壁の領域に形成された、少なくとも１つのばね収容部（４０）を有しており、該ばね収容部（４０）が、ばね部材（２８）の一部を収容するための中空室（４２）を有しており、前記ばね部材（２８）が、前記中空室（４２）内に挿入され、かつ該中空室（４２）内に解除可能に固定されていることを特徴とする、コンパクトな低圧放電灯。
【請求項２】
ばね収容部（４０）は、横断面が方形に構成されている、請求項１記載の低圧放電灯。
【請求項３】
中空室（４２）内に、ばね部材（２８）の領域（５６）に当接させるためのショルダ（４４）が形成されている、請求項２記載の低圧放電灯。
【請求項４】
ケーシング（１８）の内周面とキャップ（１６）の外周面との間に、電流供給部（３０）の端部を収容するための隙間（３４）が形成されている、請求項１記載の低圧放電灯。
【請求項５】
ばね部材（２８）が、１回又は複数回曲げられたばね鋼帯材又は渦巻きばねより成っている、請求項１記載の低圧放電灯。
【請求項６】
ばね部材（２８）が、プラスチック及び／又は金属及び／又は金属合金より成っている、請求項１記載の低圧放電灯。
【発明の詳細な説明】
【０００１】
【発明の属する技術分野】
本発明は、コンパクトな低圧放電灯であって、電極と電流供給部とを備えた放電管と、キャップとケーシングと安定器(Vorschaltanordnung)を備えた組立プレートとから組み立てられたソケットとから成っており、組立プレートが安定器と共にソケットケーシング内に取り付けられていて、電流供給部と組立プレートとを電気的に接続するための接続部を有している形式のものに関する。
【０００２】
【従来の技術】
以上のような公知の低圧放電灯は、家屋領域及び居住領域において、白熱灯の代わりに次第に多く使用されるようになっている。公知の低圧放電灯においては、放電管は、大抵の場合、１回又は複数回曲げられた管より成っており、この管はソケット内に配置されている。この場合ソケット内には、回路基板として構成された組立プレート（この組立プレート上に電子式の安定器がはんだ付けされている）が組み込まれている。コンパクトな低圧放電灯のための製造コストは、比較的高い。何故ならば、製造時に複雑な製造段階が必要とされるからである。このような形式の製造段階のうちの１つは、放電管の電流供給部を安定器の相応の接続部に電気的に接続する段階である。このような接続を形成するために従来では、相応の接続ワイヤがまとめられて、例えば金属スリーブにクリンプ結合（vercrimpen）される。
【０００３】
この簡単な結合の改良については、ヨーロッパ特許第０４５２７４３号明細書に記載されている。この公知の明細書には、冒頭に述べた形式の低圧放電灯で、保持ピンを有していて、この保持ピンによって、電流供給部の端部が安定器のＵ字形の接続ワイヤに対して直角に整列されているものが開示されている。ソケットケーシングと、ソケットキャップを備えた組立プレートとを組み付ける際に、それぞれ接触させようとするワイヤは、互いにほぼ直角に相前後して配置され、保持ピンとソケットケーシングの内壁とによって互いにばね弾性的に圧縮されるので、安定器の放電管の電極間の電気的な接続が行われる。
【０００４】
しかしながらこの従来技術においては、このような形式の電気的な接続システムが非常に高価であるという点が欠点である。これによって製造コストが高くなく。しかも、部材の確実な接触を保証するために、このような形式の低圧放電灯のための製造速度は高くない。
【０００５】
【発明が解決しようとする課題】
そこで本発明の課題は、冒頭に述べた形式のコンパクトな低圧放電灯で、放電管の電流供給部と安定器の相応の接続部との電気的な接続のために必要な組立が、簡単で、迅速で、最適な確実接触を保証しながら安価に製造できるものを提供することである。
【０００６】
【課題を解決するための手段】
この課題を解決した本発明によれば、電流供給部がばね部材によって組立プレートの電気的な接続部に押しつけられるようになっている。
【０００７】
本発明の有利な実施例は従属請求項に記載されている。
【０００８】
【発明の効果】
本発明に従って構成されたコンパクトな低圧放電灯においては、放電管の電流供給部が、安定器を備えた組立プレートの電気的な接続部に、それぞれ１つのばね部材を介して接続されており、これらのばね部材が電流供給部を接続部に対して圧着接続している。電流供給部に圧力を加えるばね部材を使用したことによって、確実な接触が保証される。従って本発明によれば、有利な形式で、放電管の電流供給部を、組立プレート若しくは直列装置の対応する接続部に接続するための１つの部材を必要とするだけである。これによって、製造コストは著しく低減された。しかも有利な形式で製造速度が著しく高められた。何故ならば低圧放電管のソケットを組み立てる際には、ソケットケーシングとソケットキャップとを互いに押し付け合うだけでよいからである。
【０００９】
ソケットを組み立てる前に、本発明によればばね部材が、キャップの内周面に形成されたばね収容部内に収容される。このためにばね収容部は、ばね部材の少なくとも１つの部分を収容するための中空室を有していて、一般的には横断面が方形に構成されている。これによって、ばね部材は放電灯の最終組立とは無関係に組み立てることができる。これによって製造方法が簡単にされ、ひいては製造コストが低減される。
【００１０】
本発明による低圧放電灯の別の有利な実施例によれば、中空室内に、ばね部材の領域に当接させるためのショルダが形成されている。また、ケーシングの内周面とキャップの外周面との間に、電流供給部の端部を収容するための隙間が形成されている。このような特徴によれば、放電灯の製造プロセスの簡略化も得られる。
【００１１】
本発明の有利な実施例によれば、電流供給部とばね部材と組立プレートの接続部とが一体的に構成されている。
【００１２】
本発明の別の有利な構成によれば、組立プレートが、ケーシング内で低圧放電灯縦軸線に対して直角に固定されている。この場合、組立プレートは、ケーシングの内周面に形成されたリブ（放電灯縦軸線に対して平行に延びる）上に位置している。また、組立プレートが基板として構成されていて、低圧放電灯に向いた側に導体路が形成されていて、低圧放電管とは反対側に、安定器の切換部材が形成されていれば、有利である。この場合、電流供給部と組立プレートとを電気的に接触するための少なくとも１つの接続部がはんだパッドとして構成されている。本発明の別の有利な実施例によれば、電流供給部と組立プレートとを電気的に接触するための少なくとも１つの接続部が、１つ又は複数の扁平なはんだ面及び／又ははんだ条片より成っている。このような、放電灯のソケットの簡単でスペースの節約された構造によって、ソケットを全体的に小さく維持し、安価に製造することができる。
【００１３】
キャップ及びソケットのケーシングを正しい位置に位置決めするために有利な形式で位置決め装置が構成されている。
【００１４】
本発明のその他の詳細、特徴、構成及び利点は、図示の実施例に記載されている。
【００１５】
【発明の実施の形態】
以下に本発明の実施の形態を図面に示した実施例を用いて具体的に説明する。
【００１６】
図１若しくは図２には、本発明によるコンパクトな低圧放電灯１０の、若しくはソケット１２の縁部領域の部分領域の概略的な断面図が示されている。放電灯１０は、放電管１４及びソケット１２を有しており、ソケット１２はキャップ１６とケーシング１８とから組み立てられている。ソケット１２は、ほぼ円筒形に構成されている。キャップ１６とケーシング１８とは、互いに解除可能に結合されており、この場合、キャップ１６とケーシング１８とを正しい位置で結合するための少なくとも１つの位置決め装置４８が構成されている。この場合、キャップ１６は、ケーシング１８に向いた側の端部で、外周面でリング状の隆起部２０を有している。この隆起部２０と、ケーシング１８の内周面に形成された環状溝２２とは、電流供給部３０の端部を収容するための隙間３４を形成している。
【００１７】
ほぼ円筒形に形成されたケーシング１８の内部には、放電灯縦軸線に対して直角に組立プレート２４が固定されている。組立プレート２４は基板として構成されていて、放電管１４に向いた側の端部に導体路が形成されていて、放電管１４とは反対側には、安定器（図示せず）の切換部材が形成されている。
【００１８】
放電管１４は、一般的な形式で２つ又は３つのＵ字形に曲げられた管部材より成っていて、これらの管部材は、通路によって互いに接続されており（図示せず）、この場合、端部脚はそれぞれ電極を有している。管部材の自由端部は、押し潰しによって気密に閉鎖されていて、ソケット１２のキャップ１６内に位置している。押し潰しの領域内では、電流供給部３０が放電管１４から分離されている。電流供給部３０は、ばね部材２８によって、組立プレート２４の電気的な接続部２６に押しつけられる。この場合、ばね部材は、キャップ１６の内周面の領域に形成されたばね収容部４０内に係合し、このばね収容部４０内で図示の実施例では解除可能に固定されている。ばね収容部４０は、中空室４２を取り囲む側壁４１，４３によって取り囲まれている。中空室４２は、ばね部材２８の一部を収容するために用いられ、横断面が方形に構成されている。
【００１９】
中空室４２内には、ばね部材２８の領域５０を支承するためのショルダ４４が形成されている。中空室４２を取り囲む側壁４１，４３は、ばね部材４０の自由端部に向かって傾斜面４６を有している。この傾斜面４６は、ばね部材２８の導入作業を軽減する。さらに放電灯１０の組立時若しくはソケット１２の組立時に、電流供給部３０の端部３２が隙間３４内に挿入され、それによって正しい位置で整列される。
【００２０】
組立プレート２４は、放電管１４に向けられた側で、安定器の電流供給部３０の電気的な接触のための接続部２６を有している。この場合、接続部２６は、はんだパッドとして又は、組立プレート２４内に組み込まれているか若しくは載設されている扁平なはんだ面及び／又ははんだ条片として構成される。
【００２１】
図２には、ソケット１２の縁部領域の部分領域の断面図が示されている。図示のように、ケーシング１８の自由端部はキャップ１６の自由端部に結合されている。キャップ１６の内周面の領域にはばね収容室４０が形成されている。側壁４１，４３は、中空室４２を取り囲んでおり、この中空室４２内では、キャップ１６の外周面とは反対の側にショルダ４４が形成されている。この場合、ばね収容室４０は横断面がほぼ方形に形成されている。さらにまた、側壁４１，４３の傾斜面４６が図示されている。図面では、２つの側壁４１，４３の長さが異なっていることが分かる。
【００２２】
環状の舌片３６は、組立プレート２４の方向でキャップ１６の閉鎖部を形成している。この場合、舌片３６は所定の箇所でピン状の延長部３７を形成しており、このピン状の延長部３７は組立プレート２４の相応の切欠３８内に係合する。これによって、舌片３６のピン状の延長部３７と切欠３８とは位置決め装置４８を形成している。
【００２３】
図３には、放電灯１０のソケットの縁部領域の一部が示されている。電流供給部３０の両端部３２は、環状の舌片３６とケーシング１８の内周部との間に形成された隙間３４内に当てつけられている。電流供給部３０をばね部材２８の下側で正しい位置に位置決めするために、ばね収容部４０の領域内でキャップ１６の外周部に、電流供給部３０の両端部３２を受容するための切欠５２がそれぞれ形成されている。
【００２４】
図４には、ばね部材２８の構成が概略的に示されている。この場合、ばね部材２８は、複数回折り曲げられた帯状ばねとし形成されている。ばね部材２８の長さは、電流供給部３０と組立プレート２４の接続部２６との確実な接触が保証されるように選択されている。ばね部材２８は、プラスチック及び／又は金属及び／又は金属合金より成っている。
【００２５】
ばね部材は、図示していない別の実施例では渦巻き状ばねとして構成されている。その他の有利な構成のばねも考えられる。
【００２６】
図示していない別の実施例では、電流供給部３０とばね部材２８とは一体的に構成されている。
【図面の簡単な説明】
【図１】本発明による低圧放電灯の概略的な断面図である。
【図２】本発明による低圧放電灯のキャップの縁部領域の概略的な断面図である。
【図３】本発明による低圧放電灯のソケットの縁部領域の一部の概略図である。
【図４】本発明による低圧放電灯のばね部材の概略的な側面図である。
【符号の説明】
１０  低圧放電灯、  １２  ソケット、  １４  放電管、  １６  キャップ、１８  ケーシング、  ２０  隆起部、  ２２  環状溝、  ２４  組立プレート、  ２６  電気的な接続部、  ２８  ばね部材、  ３０  電流供給部、  ３２  端部、  ３４  隙間、  ３６  舌片、  ３７  ピン状の延長部、  ３８  切欠、４０  ばね収容部、  ４２  中空室、  ４１，４３  側壁、  ４６  傾斜面、
４８  位置決め装置、  ５０  領域
【図１】
0004221095.tif 000002
【図２】
0004221095.tif 000003
【図３】
0004221095.tif 000004
【図４】
0004221095.tif 000005